(57)【要約】【課題】群管理制御されるエレベーターでは、同一系統の複数のかごに対して呼びを登録するための乗場呼び釦を使用して保守運転を行うと、保守運転の対象でないかごを利用することができなかった。【解決手段】エレベーター制御装置７が備える運転制御部７５は、保守運転の開始の指示が検知されたことにより、保守運転指示部が設けられたかごの動作モードを通常モードから保守運転モードに切替える。規定距離走行部７４は、かごの停止位置における乗場ドアが閉められたことがスイッチ検知部７２により検知されると、かごの昇降距離が、かごの停止位置から保守可能な規定距離に達するまでかごを走行させる。そして、群管理制御部７６は、保守運転モードに切替えられたかごを群管理の制御対象から外して、通常モードが設定された他のかごを群管理の制御対象とする。【選択図】図１
2019014552.tif 000002
【特許請求の範囲】
【請求項１】
昇降路を昇降する複数のかごの内部に設けられた保守運転指示部により保守運転の開始が指示されたことを検知する指示検知部と、
前記指示検知部が保守運転の開始の指示を検知したことにより、前記保守運転指示部が設けられた前記かごの動作モードを通常モードから保守運転モードに切替える運転制御部と、
前記かごの停止位置における乗場ドアが閉められたことを検知する開閉検知部と、
前記かごの昇降距離が、前記かごの前記停止位置から保守可能な規定距離に達するまで前記かごを走行させる規定距離走行部と、
前記保守運転モードに切替えられた前記かごを群管理の制御対象から外して、前記通常モードが設定された他のかごを群管理の制御対象とする群管理制御部と、を備える
エレベーター制御装置。
【請求項２】
前記乗場ドア、及び前記乗場ドアに連動して開閉するかごドアが開けられたまま前記かごが前記停止位置に停止した状態で、前記保守運転指示部に行われた第１特殊操作を検知する特殊操作検知部と、
前記特殊操作検知部が前記第１特殊操作を検知してから経過した時間を計測する時間計測部を備え、
前記規定距離走行部は、前記時間計測部により計測された時間が第１所定時間を経過した後、前記乗場ドアが閉められたことが前記開閉検知部により検知された場合に、前記かごを前記規定距離だけ走行させる制御を行う
請求項１に記載のエレベーター制御装置。
【請求項３】
前記運転制御部は、前記動作モードが前記保守運転モードであって、前記保守運転指示部により前記かごの停止が指示されたことが前記指示検知部により検知された場合には、前記特殊操作検知部により検知された前記第１特殊操作を無効とする
請求項２に記載のエレベーター制御装置。
【請求項４】
前記運転制御部は、前記かごの上部に設けられるかご上制御部により前記かごの停止の解除が指示されたことが前記指示検知部により検知されたことにより、停止の解除が指示された前記かごの前記動作モードを前記保守運転モードから復帰運転モードに切替え、
前記規定距離走行部は、前記復帰運転モードに切替えられた前記かごを停止位置から前記規定距離だけ走行させる制御を行い、
前記群管理制御部は、前記規定距離だけ走行したことにより、前記運転制御部により前記復帰運転モードから前記通常モードに切替えられた前記かごを、他の前記かごと共に群管理の制御対象に戻す
請求項２に記載のエレベーター制御装置。
【請求項５】
前記規定距離走行部は、前記かご上制御部に行われた第２特殊操作が前記特殊操作検知部により検知された場合に、前記乗場ドアが閉められたことが前記開閉検知部により検知されてから、前記時間計測部が計測した時間が第２所定時間を経過した後、前記かごを前記規定距離だけ走行させる制御を行う
請求項４に記載のエレベーター制御装置。
【請求項６】
前記運転制御部は、前記動作モードが前記復帰運転モードであって、前記かご上制御部により前記かごの停止が指示されたことが前記指示検知部により検知された場合には、前記特殊操作検知部により検知された前記第２特殊操作を無効とする
請求項５に記載のエレベーター制御装置。
【請求項７】
前記保守運転モードは、作業員が前記かごの上に乗り込んで保守を行うためのかご上保守運転モード、又は、前記作業員がピット部に侵入して保守を行うためのピット保守運転モードのいずれかであって、
前記かご上保守運転モードでは、前記規定距離走行部により、前記規定距離だけ前記かごが下降する制御が行われ、前記ピット保守運転モードでは、前記規定距離走行部により、前記規定距離だけ前記かごが上昇する制御が行われる
請求項１〜６のいずれか一項に記載のエレベーター制御装置。
【請求項８】
前記規定距離走行部は、前記かごを吊り下げるロープを巻上げる巻上機に取付けられた巻上機エンコーダー、又は、ガバナロープが巻付けられるガバナに取付けられたガバナエンコーダーのいずれかにより測定された前記かごの昇降距離が前記規定距離に達するまで前記かごを走行させる
請求項７に記載のエレベーター制御装置。
【請求項９】
昇降路を昇降する複数のかごと、
前記かご毎に前記かごの昇降距離を計測する複数の昇降距離計測部と、
前記かごの運行を制御する複数のエレベーター制御装置と、を備え、
前記エレベーター制御装置は、
複数の前記かごの内部に設けられた保守運転指示部により保守運転の開始が指示されたことを検知する指示検知部と、
前記指示検知部が保守運転の開始の指示を検知したことにより、前記保守運転指示部が設けられた前記かごの動作モードを通常モードから保守運転モードに切替える運転制御部と、
前記かごの停止位置における乗場ドアが閉められたことを検知する開閉検知部と、
前記昇降距離計測部により計測された前記かごの前記昇降距離が、前記かごの前記停止位置から保守可能な規定距離に達するまで前記かごを走行させる規定距離走行部と、
前記保守運転モードに切替えられた前記かごを群管理の制御対象から外して、前記通常モードが設定された他のかごを群管理の制御対象とする群管理制御部とを有する
エレベーター。
【発明の詳細な説明】
【技術分野】
【０００１】
本発明は、エレベーター制御装置及びエレベーターに関する。
【背景技術】
【０００２】
エレベーターの保守点検の作業には、作業員が最下階のピット部に侵入して行われる作業と、かご上に乗り込んで行われる作業とがある。このような保守点検にて、かごの停止位置をピット部侵入位置又はかご上搭乗位置に合わせる作業は、実際に作業を行う作業員と、この作業員と共同で保守点検を行う共同作業員とを含む少なくとも二人以上の作業員で行われていた。そして、乗場で待機する作業員が乗場ドアのガラス窓や乗場ドアの隙間からかごの停止位置を確認し、かご内に乗車した共同作業員にかごの走行指示を行うことにより、かごをピット部侵入位置又はかご上搭乗位置に停止させていた。
【０００３】
このように二人以上の作業員が連携しなければ、意図した位置にかごを停止させることができず、かごを適切な位置に停止させるまで非常に手間がかかっていた。このため、特許文献１に開示されたような、保守点検の際にかごの一連の保守用運転の時間を短縮させる技術が知られている。
【０００４】
特許文献１には、乗場釦を押して呼び寄せたかごに対し、乗場側からかごの上又は外側面の点検個所へ接近できるようにするために、所定距離が指定されてから所定時間を計数すると、指定された所定距離だけかごを昇降させる技術が開示されている。
【０００５】
特許文献２には、意図したエレベーターのかごを保守準備走行装置にて保守準備走行させることで、エレベーター利用者の運行に支障を与えることなく、保守運転を可能とする技術が開示されている。
【先行技術文献】
【特許文献】
【０００６】
【特許文献１】特開２００３−２５５３号公報
【特許文献２】特開２０１３−９１５４３号公報
【発明の概要】
【発明が解決しようとする課題】
【０００７】
特許文献１及び２に開示されたように、従来の保守点検では、乗場呼び釦の操作を必要としていた。このため、群管理制御の対象となる同一系列の複数台のエレベーターを運行管理する群管理エレベーターにおいては、同一系列の乗場呼び釦が操作されると、保守点検が行われているエレベーター以外のエレベーターに対し、不要な乗場呼び登録が発生する。このため、保守点検の際には、同一系列の群管理エレベーター全体の運行を停止しなければならず、利用者はエレベーターを利用できなくなる。
【０００８】
特許文献１に開示された技術は、群管理制御が行われない、単独で設置されたエレベーターでなければ用いることができない。また、特許文献２には、乗場呼び釦の操作で保守準備走行装置が起動する際においては、操作された乗場呼び釦が設置された乗場階へのかごの乗場呼び登録が行われないと開示されているが、利用者にとっては、どの乗場呼び釦が使用可能であるか分からない。
【０００９】
本発明はこのような状況に鑑みて成されたものであり、複数のかごが群管理制御される場合において、エレベーター利用者の運行に支障を与えず一部のかごの保守運転を可能とすることを目的とする。
【課題を解決するための手段】
【００１０】
本発明に係るエレベーター制御装置は、昇降路を昇降する複数のかごの内部に設けられた保守運転指示部により保守運転の開始が指示されたことを検知する指示検知部と、指示検知部により、保守運転の開始の指示が検知されたことにより、保守運転指示部が設けられたかごの動作モードを通常モードから保守モードに切替える運転制御部と、かごの停止位置における乗場ドアが閉められたことを検知する開閉検知部と、かごの昇降距離が、かごの停止位置から保守可能な規定距離に達するまでかごを走行させる規定距離走行部と、保守モードに切替えられたかごを群管理の制御対象から外して、通常モードが設定された他のかごを群管理の制御対象とする群管理制御部と、を備える。
【発明の効果】
【００１１】
本発明によれば、乗場呼び釦を操作することなく、かご内の運転盤を操作するだけで、保守運転を行うことが可能である。そして、保守運転されるかごは群管理の制御対象から外れ、保守運転されるかご以外のかごについて群管理の制御対象とすることで、利用者は普段通りに乗場呼び釦を使用することができ、エレベーター利用の不便が生じない。
上記した以外の課題、構成及び効果は、以下の実施の形態の説明により明らかにされる。
【図面の簡単な説明】
【００１２】
【図１】本発明の一実施の形態に係る群管理エレベーターシステムの全体構成例を示す構成図である。
【図２】本発明の一実施の形態に係るＡ号機のエレベーター制御装置の内部構成例を示すブロック図である。
【図３】本発明の一実施の形態に係る計算機のハードウェア構成例を示すブロック図である。
【図４】本発明の一実施の形態に係るエレベーターにおけるかご上乗り込み運転の動作処理の例を示すフローチャートである。
【図５】本発明の一実施の形態に係るエレベーターにおける復帰運転の動作処理の例を示すフローチャートである。
【発明を実施するための形態】
【００１３】
以下、本発明を実施するための形態例について、添付図面を参照して説明する。本明細書及び図面において、実質的に同一の機能又は構成を有する構成要素については、同一の符号を付することにより重複する説明を省略する。
【００１４】
図１は、群管理エレベーターシステムの全体構成例を示す構成図である。
群管理エレベーターシステム２０は、建物の昇降路６内に設けられ、群管理制御されるＡ号機及びＢ号機の２台のエレベーター１Ａ，１Ｂを備える。本実施の形態では、２台のエレベーター１Ａ，１Ｂについて説明するが、３台以上のエレベーターであっても同様に群管理制御される。エレベーター１Ａ，１Ｂは、同じ構成であるため、以下、エレベーター１Ａについて構成及び動作を説明する。
【００１５】
エレベーター１Ａは、かご２と、エレベーター制御装置７と、巻上機８と、巻上機エンコーダー９と、主ロープ１０と、釣合い錘１１と、ガバナ１２と、ガバナエンコーダー１３と、ガバナロープ１４と、を備える。
【００１６】
かご２は、エレベーター１Ａに設けられたエレベーター制御装置７の運行制御に従って、昇降路６内を昇降する。かご２には、かご２が乗場に到着すると自動で開閉するかごドア３が設けられている。かごドア３は、作業員が手動で開閉することも可能である。かご２は、主ロープ１０の一端に吊り下げられている。主ロープ１０の他端には、釣合い錘１１が吊り下げられている。このように主ロープ１０には、巻上機８を介してかご２と釣り合い錘が吊り下げられているため、かご２は、釣合い錘１１に対して相対的に昇降する。
【００１７】
エレベーター制御装置７は、ピット部１５に設けられており、巻上機８を含む昇降路６内の機器の動作を制御する。エレベーター制御装置７の詳細な内部構成例は後述する図２に示す。
【００１８】
巻上機８は、主ロープ１０を巻上げて、かご２を昇降させる。
巻上機エンコーダー９は、巻上機８に取り付けられ、かご２の昇降距離を計測する昇降距離計測部の一例として用いられる。巻上機エンコーダー９により計測されたかご２の昇降距離は、エレベーター制御装置７に送られる。
【００１９】
ガバナ１２には、かご２の昇降と共に移動するガバナロープ１４が巻付けられている。ガバナ１２は、ガバナロープ１４の移動速度、すなわち、かご２の速度が規定値以上になると、かご２を停止させる。
ガバナエンコーダー１３は、ガバナ１２に取付けられ、かご２の昇降距離を計測する昇降距離計測部の一例として用いられる。ガバナエンコーダー１３により計測されたかご２の昇降距離は、エレベーター制御装置７に送られる。
ガバナロープ１４は、かご２に一部が取付けられており、かご２の昇降にしたがって移動する。
【００２０】
各階の乗場に、乗場ドア１７と、乗場ドアスイッチ１８が設けられる。
乗場ドア１７は、かごドア３の開閉に連動して開閉する。また、作業員が、乗場ドア１７だけを手動で開閉することも可能である。
乗場ドアスイッチ１８は、乗場ドア１７の開閉を検知し、エレベーター制御装置７に開閉検知信号を出力する。
【００２１】
かご２の内部には、運転盤４が設けられ、かご２の上（かご上１６）には、かご上制御ボックス５が設けられている。
運転盤４は、保守運転の開始を指示するための保守運転指示部の一例として用いられる。かご２内にいる作業員が運転盤４に設けられた各スイッチを操作して、保守運転の開始を指示することができる。保守運転として、例えば、作業員が、かご上１６に乗り込むためにかご２を運転するかご上乗り込み運転がある。かご上乗り込み運転では、動作モードがかご上保守運転モードに切替えられている。また、保守運転として、かご２の保守点検が完了したことにより、動作モードを通常モードに戻す復帰運転がある。
【００２２】
運転盤４は、開釦４ａと、閉釦４ｂと、行先階登録釦４ｃと、保守スイッチ４ｄと、かご内停止スイッチ４ｅと、を有する。
開釦４ａは、利用者が、かごドア３を開く操作のために設けられる。
閉釦４ｂは、利用者が、かごドア３を閉める操作のために設けられる。
行先階登録釦４ｃは、利用者が、かご２の行先階を登録するために設けられる。
【００２３】
保守スイッチ４ｄは、作業員が、後述の保守運転モードを設定するために設けられる。
かご内停止スイッチ４ｅは、作業員が、かご２内の作業を継続するために用いられる。かご内停止スイッチ４ｅが押されると、運転盤４の各スイッチを操作して行われた第１特殊操作が無効とされる。
なお、保守スイッチ４ｄ及びかご内停止スイッチ４ｅは、例えば、運転盤４の下部に配置され、作業員以外の人に操作されないようカバーで覆われた不図示のボックス内に格納されている。
【００２４】
かご上制御ボックス５は、かご上１６に設けられており、かご上制御部の一例として用いられる。かご上１６は、作業員が乗り込んで保守点検を行うことが可能なかご２の上にある領域である。かご上制御ボックス５は、かご上１６にて保守点検を行う作業員により操作される。かご上制御ボックス５は、かご上停止スイッチ５ａと、上昇方向スイッチ５ｂと、下降方向スイッチ５ｃと、かご上保守運転スイッチ５ｄとを有する。
【００２５】
かご上停止スイッチ５ａは、作業員が、かご２を非常停止させるために設けられる。かご上停止スイッチ５ａが押されると、かご上制御ボックス５を通じて行われた第２特殊操作が無効とされる。
上昇方向スイッチ５ｂは、作業員が、保守運転時にかご２を上昇する指示を行うために設けられる。
下降方向スイッチ５ｃは、作業員が、保守運転時にかご２を下降する指示を行うために設けられる。
かご上保守運転スイッチ５ｄは、作業員が、かご上保守運転モードのオン又はオフを設定するために用いられる。
【００２６】
本実施形態では、エレベーター１Ａの動作モードとして、通常モード、保守モード、復帰運転モードがあり、後述する図２に示す運転制御部７５により各モードが切替えられる。
通常モードは、各階の乗場へ通常の速度で走行させる動作モードである。
保守モードは、かご２の保守点検を行うときに通常モードから切替えられる動作モードである。
復帰運転モードは、保守モードを通常モードに切替えるまでに設定される動作モードである。例えば、かご上保守運転モード又はピット保守運転モードから通常モードに復帰するまでの間、保守運転されていたかご２を利用者が利用可能とするための運転が行われる。
【００２７】
保守モードとして、保守運転モード、かご上保守運転モード、ピット保守運転モードがある。各動作モードは、エレベーター制御装置７の運転制御部７５により切替えられる。
保守運転モードは、通常の保守時に、かご２を通常の速度よりも低速で走行させる動作モードである。
かご上保守運転モードは、作業員がかご上１６に乗り込んで保守を行うためにかご２を通常の速度よりも低速で走行させる動作モードである。
ピット保守運転モードは、作業員がピット部１５に侵入して保守を行うためにかご２を通常の速度よりも低速で走行させる動作モードである。かご上保守運転モードにおけるかご２の走行速度と、ピット保守運転モードにおけるかご２の走行速度は、同じとしてもよいし、異ならせてもよい。
【００２８】
図２は、Ａ号機のエレベーター制御装置７の内部構成例を示すブロック図である。
【００２９】
エレベーター制御装置７は、例えば、昇降路６の底部、すなわちピット部１５に設けられる。エレベーター制御装置７は、特殊操作検知部７１と、スイッチ検知部７２と、時間計測部７３と、規定距離走行部７４と、運転制御部７５と、群管理制御部７６と、を有している。
【００３０】
特殊操作検知部７１は、かご２内の保守スイッチ４ｄ、又はかご上制御ボックス５の各スイッチを用いた特殊操作を検知する。特殊操作には、かご上乗り込み運転時に行われる第１特殊操作と、復帰運転時に行われる第２特殊操作とがある。そして、特殊操作検知部７１は、乗場ドア１７及びかごドア３が開けられたままかご２が停止位置に停止した状態で、作業員により運転盤４に行われた第１特殊操作を検知する。かご上乗り込み運転における第１特殊操作として、例えば、運転盤４の各スイッチを所定の順番で押下する暗号操作が用いられる。また、特殊操作検知部７１は、作業員によりかご上制御ボックス５に行われた第２特殊操作を検知する。復帰運転における第２特殊操作として、例えば、かご上制御ボックス５内の各スイッチを所定の順番で押下する暗号操作が用いられる。
【００３１】
スイッチ検知部７２は、運転盤４又はかご上制御ボックス５の各スイッチ等から入力する信号に基づいて、各スイッチ等を通じて行われる指示を検知することが可能な指示検知部の一例として用いられる。スイッチ検知部７２は、運転盤４の保守スイッチ４ｄがオンされると、保守運転の開始が指示されたことを検知し、保守スイッチ４ｄがオフされると、保守運転の終了が指示されたことを検知する。また、スイッチ検知部７２は、乗場ドアスイッチ１８の開閉検知信号に基づいて、かご２の停止位置において乗場ドア１７が開閉されたことを検知する開閉検知部の一例としても用いられる。また、スイッチ検知部７２は、かご上制御ボックス５の各スイッチのオン又はオフを検知することで、かご２の停止の解除が指示されたことを検知することも可能である。
【００３２】
時間計測部７３は、かご２内の保守スイッチ４ｄ、又はかご上制御ボックス５の各スイッチを用いた特殊操作が行われた後の経過時間を計測する。例えば、時間計測部７３は、保守運転の開始時に、特殊操作検知部７１が第１特殊操作を検知してから経過した時間を計測する。また、復帰運転において、時間計測部７３は、乗場ドア１７が閉められたことがスイッチ検知部７２により検知されてから経過した時間を計測する。ただし、復帰運転においても、時間計測部７３は、特殊操作検知部７１が第２特殊操作を検知してから経過した時間を計測してもよい。
【００３３】
規定距離走行部７４は、かご２の昇降距離が、かご２の停止位置から保守可能な規定距離に達するまでかご２を走行させることが可能である。規定距離は、後述する図３に示す不揮発性ストレージＣ５に記憶されている。規定距離走行部７４は、巻上機エンコーダー９又はガバナエンコーダー１３のいずれかにより測定されたかご２の昇降距離が規定距離に達するまでかご２を走行させることが可能である。
【００３４】
規定距離走行部７４が、運転制御部７５に代わってかご２を昇降させるのは、例えば、動作モードがかご上保守運転モード、ピット保守運転モード及び復帰運転モードの時である。かご上保守運転モードでは、規定距離走行部７４が、かご２を規定距離だけ下降する制御を行う。ピット保守運転モード及び復帰運転モードでは、規定距離走行部７４が、かご２を規定距離だけ上昇する制御を行う。なお、ピット保守運転モードにおいて、かご２は、作業員がピット部１５に侵入可能な高さまで上昇する。かご２が規定距離だけ昇降する際の移動速度は、上述した運転制御部７５により制御される。
【００３５】
運転制御部７５は、通常モードにおける、かご２の運転（かごドア３の開閉、かご２の上昇又は下降等）を制御する。そして、運転制御部７５は、スイッチ検知部７２により保守運転の開始の指示が検知された運転盤４（保守スイッチ４ｄ）が設けられたかご２、すなわちエレベーター１Ａの動作モードを通常モードから保守モードに切替える。そして、作業員による保守作業が完了し、かご上保守運転スイッチ５ｄがオフされると、運転制御部７５は、かご上保守運転スイッチ５ｄが設けられた設けられたかご２、すなわちエレベーター１Ａの動作モードをかご上保守運転モードから通常モードに切替える。ただし、かご上保守運転モードから通常モードに切替えるまでには、一旦、復帰運転モードが設定され、所定の操作が行われなければかご上保守運転モードに戻る。
【００３６】
群管理制御部７６は、動作モードが通常モードであるエレベーター１Ａ，１Ｂの運行を群管理制御する。また、群管理制御部７６は、通常モードから保守モードに切替えられたかご２を群管理の制御対象から外して、通常モードが設定された他のかご２を群管理の制御対象とする。本実施の形態では、エレベーター１Ａのかご２が群管理の制御対象から外れる。このため、エレベーター１Ａのかご２に保守点検が行われている間、エレベーター１Ｂのかご２を利用者が利用可能となる。
【００３７】
なお、Ｂ号機のエレベーター制御装置７は、群管理制御部７６を備えない以外は、Ａ号機のエレベーター制御装置７と同じ構成である。また、群管理制御部７６は、エレベーター制御装置７とは別の場所に群管理制御装置として構成されてもよい。
【００３８】
次に、エレベーター１Ａの各装置を構成する計算機Ｃのハードウェア構成を説明する。
図３は、計算機Ｃのハードウェア構成例を示すブロック図である。
【００３９】
計算機Ｃは、いわゆるコンピュータとして用いられるハードウェアである。計算機Ｃは、バスＣ４にそれぞれ接続されたＣＰＵ（Central Processing Unit：中央処理装置）Ｃ１、ＲＯＭ（Read Only Memory）Ｃ２、ＲＡＭ（Random Access Memory）Ｃ３を備える。さらに、計算機Ｃは、不揮発性ストレージＣ５、ネットワークインターフェイスＣ６を備える。
【００４０】
ＣＰＵ Ｃ１は、本実施の形態例に係る各機能を実現するソフトウェアのプログラムコードをＲＯＭ Ｃ２から読み出して実行する。ＲＡＭ Ｃ３には、演算処理の途中に発生した変数やパラメーター等が一時的に書き込まれる。
【００４１】
不揮発性ストレージＣ５としては、例えば、ＨＤＤ（Hard Disk Drive）、ＳＳＤ（Solid State Drive）、フレキシブルディスク、光ディスク、光磁気ディスク、ＣＤ−ＲＯＭ、ＣＤ−Ｒ、磁気テープ、不揮発性のメモリ等が用いられる。この不揮発性ストレージＣ５には、ＯＳ（Operating System）、各種のパラメーターの他に、計算機Ｃを機能させるためのプログラムが記録されている。ＲＯＭ Ｃ２、不揮発性ストレージＣ５は、ＣＰＵ Ｃ１が動作するために必要なプログラムやデータ等を記録しており、計算機Ｃによって実行されるプログラムを格納したコンピュータ読取可能な非一過性の記録媒体の一例として用いられる。このため、ＲＯＭ Ｃ２、不揮発性ストレージＣ５には、このプログラムが永続的に格納される。
【００４２】
ネットワークインターフェイスＣ６には、例えば、ＮＩＣ（Network Interface Card）等が用いられ、端子が接続されたＬＡＮ（Local Area Network）、専用線等を介して各種のデータを装置間で送受信することが可能である。
【００４３】
＜かご上乗り込み運転の動作例＞
図４は、エレベーター１Ａにおけるかご上乗り込み運転の動作処理の例を示すフローチャートである。
【００４４】
本実施形態では、始めに、エレベーター１Ａのかご２を中間階又は最上階に停止させる。このとき、エレベーター１Ａは、通常モードに設定されている。そして、作業員は、運転盤４の保守スイッチ４ｄをオンし（Ｓ１）、保守運転モードに切替える（Ｓ２）。このとき、スイッチ検知部７２は、保守スイッチ４ｄがオンされたことを検知するため、運転制御部７５は、エレベーター１Ａの設定を、利用者が誰でも利用可能な通常モードから保守運転モードに切替える。これにより、作業員以外はエレベーター１Ａを操作できない状態、すなわち乗場呼び釦を押しても、エレベーター１Ａのかご呼びを行えない状態となる。
【００４５】
次に、特殊操作検知部７１は、乗場ドア１７及びかごドア３が開けられたかご２が停止位置に停止した状態で、かご２内にいる作業員により運転盤４に行われる第１特殊操作を検知したか否かを判定する（Ｓ３）。特殊操作検知部７１が第１特殊操作を検知しなければ（Ｓ３のＮＯ）、再び、ステップＳ２に戻って保守運転モードを続ける。
【００４６】
一方、特殊操作検知部７１が第１特殊操作を検知していれば（Ｓ３のＹＥＳ）、運転制御部７５は、動作モードを保守運転モードからかご上保守運転モードに切替える（Ｓ４）。次に、時間計測部７３は、特殊操作検知部７１が第１特殊操作を検知してから経過した時間が一定時間（第１所定時間の一例）を経過したか否かを判定する（Ｓ５）。一定時間は、例えば、３０秒間としてよい。かご２内にいた作業員は、この一定時間内に、開いているかごドア３及び乗場ドア１７を通じてかご２から乗場に出る。
【００４７】
その後、時間計測部７３が計測した時間が、一定時間を経過したと判定すると（Ｓ５のＹＥＳ）、ステップＳ７に移り、乗場にいる作業員が乗場ドア１７を閉める乗場ドア１７が手動で閉められたことがスイッチ検知部７２により検知されると、規定距離走行部７４によりかごドア３にドア閉信号が出力され、かごドア３も自動的に閉まる（Ｓ７）。
【００４８】
一方、時間計測部７３が、一定時間が経過していないと判定すると（Ｓ５のＮＯ）、かご内停止スイッチ４ｅがオンされたか否かを判定する（Ｓ６）。スイッチ検知部７２が、かご内停止スイッチ４ｅがオンされたと判定すると（Ｓ６のＹＥＳ）、作業員がかご２の停止を指示し、かご内で作業を継続するため、運転制御部７５は、特殊操作検知部７１が検知した第１特殊操作を無効とする。この場合、作業員が、かご上乗り込み運転を行うためには、再び運転盤４の第１特殊操作が必要となる（Ｓ３）。
【００４９】
スイッチ検知部７２が、かご内停止スイッチ４ｅがオンされていないと判定すると（Ｓ６のＮＯ）、運転制御部７５は、一定時間後にかごドア３及び乗場ドア１７を閉める（Ｓ７）。このとき、運転制御部７５は、作業員にかご２から降りるようにガイダンスを行ってもよい。
【００５０】
次に、規定距離走行部７４は、かご２を規定距離だけ下降し（Ｓ８）、乗場の作業員がかご上１６に乗り込み可能な位置でかご２を乗場に停止する（Ｓ９）。
【００５１】
そして、群管理制御部７６は、保守対象の号機を群管理から外す（Ｓ１０）。本実施の形態では、Ａ号機が群管理から外れるため、Ｂ号機が群管理制御部７６による制御対象となる。
【００５２】
＜復帰運転の動作例＞
図５は、エレベーター１Ａにおける復帰運転の動作処理の例を示すフローチャートである。
【００５３】
まず、エレベーター１Ａは、かご上保守運転モードで稼働している状態である（Ｓ１１）。そして、かご上１６で作業員が保守点検を行っているとする。作業員がかご上１６で保守点検を行う際には、かご上停止スイッチ５ａ及びかご上保守運転スイッチ５ｄをオンする。これにより、誤ってかご２が走行することを防ぐことができる。
【００５４】
かご上１６での保守点検を終えた作業員が、かご上保守運転スイッチ５ｄをオフする（Ｓ１２）。かご上保守運転スイッチ５ｄをオフするとは、かご上１６にいる作業員がかご２の停止の解除を指示することである。そして、かご上保守運転スイッチ５ｄがオフされたことは、スイッチ検知部７２により検知される。
【００５５】
次に、特殊操作検知部７１は、かご上制御ボックス５の各スイッチを用いて行われる第２特殊操作を検知したか否かを判定する（Ｓ１３）。特殊操作検知部７１が第２特殊操作を検知しなければ（Ｓ１３のＮＯ）、運転制御部７５は、かご上保守運転モードに戻し、ステップＳ１１に戻る。
【００５６】
一方、特殊操作検知部７１が第２特殊操作を検知していれば（Ｓ１３のＹＥＳ）、運転制御部７５は、作業員によって操作されたかご上制御ボックス５が設けられるかご２の動作モードをかご上保守運転モードから復帰運転モードに切替える（Ｓ１４）。復帰運転モードとは、かご上保守運転モードから通常モードに切替えるまでの間に、一時的に設定される動作モードである。
【００５７】
復帰運転モードでは、スイッチ検知部７２が、かご上停止スイッチ５ａがオフされたか否かを判定する（Ｓ１５）。かご上停止スイッチ５ａがオフされたとは、かご２の移動を許可することを意味する。このため、スイッチ検知部７２が、かご上停止スイッチ５ａがオフされていない、すなわちかご上停止スイッチ５ａがオンされ、かご２の停止が指示されたと判定すると（Ｓ１５のＮＯ）、運転制御部７５は、スイッチ検知部７２が検知した第２特殊操作を無効とし、かご上保守運転モードに戻し、ステップＳ１１に戻る。
【００５８】
スイッチ検知部７２が、かご上停止スイッチ５ａがオフされていると判定すると（Ｓ１５のＹＥＳ）、スイッチ検知部７２は、作業員により乗場ドア１７が手動で開閉されたか否かを判定する（Ｓ１６）。この処理は、かご上１６にいる作業員が、乗場ドア１７を手動で開いてかご上１６から降りて乗場に出た後、乗場ドア１７を手動で閉めたかを判定するために行われる処理であり、スイッチ検知部７２が、乗場ドアスイッチ１８の開閉検知信号を受信することで行われる。
【００５９】
スイッチ検知部７２が、乗場ドア１７が手動開閉されていないと判定すると（Ｓ１６のＮＯ）、運転制御部７５は、かご上保守運転モードに戻し、ステップＳ１１に戻る。このとき、かご上１６にいる作業員が再び保守点検を行ったため、乗場ドア１７を開けなかったと考えられる。このため、作業員が、かご上１６から乗場に降りる際には、再びかご上保守運転スイッチ５ｄをオフし（Ｓ１２）、かご上制御ボックス５の各スイッチを用いて行われる第２特殊操作（Ｓ１３）を行わなければならない。
【００６０】
一方、スイッチ検知部７２が、乗場ドア１７が手動開閉されていると判定すると（Ｓ１６のＹＥＳ）、時間計測部７３は、乗場ドア１７が手動で開閉されてから経過した時間を計測し、この時間が一定時間（第２所定時間の一例）を経過するまで待つ（Ｓ１７）。この一定時間は、例えば、３０秒間としてよい。このとき、作業員は、かご上１６から乗場に降りるため、かご上１６には誰もいなくなる。時間計測部７３は、乗場ドア１７が手動で閉めたときから時間の計測を開始してよいが、乗場ドア１７が手動で開かれたときから計測を開始してもよい。そして、時間計測部７３は、経過時間が一定時間を超えると、規定距離走行部７４にその旨を伝える。
【００６１】
そして、規定距離走行部７４は、一定時間を経過した後、復帰運転モードに切替えられたかご２を停止位置から規定距離だけ上昇させる制御を行い（Ｓ１８）、かご２を乗場に停止する（Ｓ１９）。
【００６２】
次に、群管理制御部７６は、規定距離だけ走行したことにより、運転制御部７５により復帰運転モードから通常モードに切替えられたかご２を、他のかご２と共に群管理の制御対象に戻す。このため、群管理制御部７６は、Ａ号機のエレベーター１Ａを群管理制御の対象に戻し（Ｓ２０）、運転制御部７５が通常モードに復帰する（Ｓ２１）。以降の処理では、運転制御部７５が通常モードでかご２を運転する。以上により、かご上乗り込み運転及び復帰運転の動作処理が終了する。
【００６３】
以上説明した一実施の形態に係る群管理エレベーターシステム２０では、群管理制御される複数のかご２の一つを保守運転モードによる保守運転とし、乗場呼び釦を保守運転に用いない。また、他のかご２を通常モードによる通常運転とすることで、利用者は他のかご２を利用することができる。このように保守運転されるかご２以外のかご２について群管理の制御対象とされるため、利用者は普段通りに乗場呼び釦を使用することができ、エレベーター利用の不便が生じない。
【００６４】
また、かご上１６への乗り込み運転に際して、かご２内の運転盤４により第１特殊操作を行うと、動作モードをかご上保守運転モードに切替えるため、作業員以外の者が不用意にかご上保守運転モードに切替えることができない。また、かご内で第１特殊操作が行われてから一定時間内に作業員がかご２から乗場に降り、一定時間が経過した後、かごドア３及び乗場ドア１７が閉まると、かご２が規定距離だけ下降するため、かご２内に作業員や他の利用者が乗り込まないようにすることができる。また、作業員は、安全にかご上１６に乗り込んで保守点検を行うことが可能である。
【００６５】
また、復帰運転に際して、かご上１６に乗り込んだ作業員が、かご上保守運転スイッチ５ｄをオフし、かご上制御ボックス５を通じて第２特殊操作を行うことで復帰運転モードに切り替わる。そして、かご上停止スイッチ５ａがオフされ、乗場ドア１７が手動で開閉された後に、かご２が規定距離だけ上昇して乗場に停止する。このため、かご上１６に作業員以外の他の利用者が乗り込まないようにすることができる。また、保守点検が完了したかご２を速やかに群管理制御の対象に戻すことができる。
【００６６】
なお、上述した実施の形態において図４のかご上乗り込み運転における、第１特殊操作を検知する処理と、第１特殊操作を検知してから経過した時間を計測する処理を除いてもよい。同様に、図５の復帰運転における、第２特殊操作を検知する処理と、第２特殊操作を検知してから経過した時間を計測する処理を除いてもよい。
【００６７】
なお、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置及びシステムの構成を詳細かつ具体的に説明したものであり、必ずしも説明した全ての構成を備えるものに限定されない。また、ここで説明した実施の形態の構成の一部を他の実施の形態の構成に置き換えることは可能であり、さらにはある実施の形態の構成に他の実施の形態の構成を加えることも可能である。また、各実施の形態の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６８】
１Ａ，１Ｂ…エレベーター、２…かご、３…かごドア、４…運転盤、５…かご上制御ボックス、６…昇降路、７…エレベーター制御装置、９…巻上機エンコーダー、１３…ガバナエンコーダー、１７…乗場ドア、１８…乗場ドアスイッチ、２０…群管理エレベーターシステム、７１…特殊操作検知部、７２…スイッチ検知部、７３…時間計測部、７４…規定距離走行部、７５…運転制御部、７６…群管理制御部
【図１】
2019014552.tif 000003
【図２】
2019014552.tif 000004
【図３】
2019014552.tif 000005
【図４】
2019014552.tif 000006
【図５】
2019014552.tif 000007